(57)【要約】      （修正有）【課題】框を収縮するときに金属音が発生しないブラインド式雨戸を提供する。【解決手段】ブラインド式雨戸１９であって、短冊状に形成された複数のスラットと、この各スラットの上端部及び下端部を連結する伸縮自在のレージトング４１とを備え、レージトング４１は、形状の異なる二種類のリンクを中央部で軸着してＸ字状に回転自在に組み合わせた複数組をヒンジ結合してエキスパンダー式に伸縮自在に構成されており、リンクの端部には、框５５が設けられており、框５５はパーツＡとパーツＢとパーツＣで構成され、パーツＢは、パーツＡとパーツＣと真中に配置されるものであり、パーツＢを樹脂製とする、又はパーツＡとパーツＢとパーツＣを樹脂製とする。【選択図】図２
0003219158.tif 000002
【実用新案登録請求の範囲】
【請求項１】
カマチ部（図８）の３パーツ（Ａ，Ｂ，Ｃ）のうち真中の（Ｂ）をアルミ製に代わり樹脂製（カーボネイト等）にした。又は３パーツ（Ａ，Ｂ，Ｃ）を樹脂製にした。
【請求項２】
カマチ部（図８）の３パーツ（Ａ，Ｂ，Ｃ）のうち真中の（Ｂ）が開閉時に（Ａ，Ｃ）とぶつかるのでその部分に樹脂製のクッション材を貼りつけた。
【考案の詳細な説明】
【技術分野】
【０００１】本考案は、屈伸リンクにより開扉又は開扉するブラインド式雨戸に関する。
【背景技術】
【０００２】従来の框（カマチ）は材質がアルミ製の為収縮する時金属音が発生し不評であった。【０００３】このような問題を解決するためのものとして改良した新型框（カマチ）がある。
ブラインド式雨戸は３パーツで構成している框（カマチ）が収縮することで連結しているスラットが開き採光と通気が出来る。【０００４】このようなブラインド式雨戸に関するものとして特許文献１が開示するところのブラインド式雨戸が提案されている。この特許文献１に開示されるブラインド式雨戸は従来のブラインド複数のスラットが雨戸の正面から所定の角度傾いて互いに平行になり雨戸が閉じた状態のまま框の収縮により各スラット間が開口するように構成されている。
【特許文献１】実用新案３１７４２８１号
【０００５】（ブラインド式雨戸の構成）
図１は、本発明の一実地の形態におけるブラインド式雨戸の開扉時の縦断面図である。
また、図２は、本実施の形態における開扉時の横断面図であり、図１のＡ−Ａ線で切った断面を示している。
なお、このブラインド式雨戸の材質は、アルミ製（一部ステンレス製）である。、【０００６】  図３は四辺形状の上辺部を構成する上枠２１と、下辺部を構成する下枠２２と、側辺部を構成する左右一対の縦枠を２３とを有して構成されている。【０００７】図４は、そのブラインド式雨戸１９の正面図である。
図に示すように、ブラインド式雨戸１９は、短冊状に形成された複数のスラット３８と、この各スラット３８の上端部及び下端部を連結する伸縮自在のレージトング４１と、上側のレージトング４１をガイドレール３９内にガイド穴４０を介して転動自在に吊支するガイドローラー４２と、下側のレージトング４１を下枠２２のガイドレール３９内にガイド穴４０を介して移動可能に係合させるガイドピン４３とを有して構成されている。【０００８】スラット３８は、細長い板体により構成され、上下端部に前記レージトング４１が取り付けられている。
また、このスラット３８は、両側端部に相反する方向へ折曲された係止縁４４を有し、この係止縁４４には上下方向に沿って凹溝４５が形成されて折表裏に係止緑４４をスラツト３８に取り付けるためスラツト３８が閉じた時に密着できるようにした。【０００９】また、レージトング４１は、形状の異なる二種類のリンク４７ａ、４７ｂを中央部で軸着してＸ字状に回転自在に組み合わせた複数組をヒンジ結合してエキスパンダー式に伸縮自在に構成されている。
そして、このレージトング４１を構成するリンク４７ａは、一方が横断面円弧状に折曲形成されたプレート（折曲角度が緩やかに設定されている）により構成されている。
また、リンク４７ｂは断面Ｌ字状に折曲形成されたプレートにより構成されている。このリンク４７ｂには、スラット３８の上下端部が狭持固定されている。
【考案が解決しようとする課題】
【００１０】框（カマチ）を収縮するときに発生する金属音をなくすことである。
【課題を解決するための手段】
【００１１】框（カマチ）の材質をアルミ製を樹脂製にした。
【考案の効果】
【００１２】本考案の効果はブラインド式雨戸を閉じた状態で通風するために框（カマチ）を収縮しても金属音が発生しなくなった。
【図面の簡単な説明】
【００１３】
【図１】本発明の一実施形態におけるブラインド式ドアーの開扉時の縦断面図である。
【図２】本発明の一実施形態における開扉時の横断面図である。
【図３】本発明の一実施形態におけるブラインド式ドアー用案内枠の表面側を示す図である。
【図４】本発明の一実施形態におけるブラインド式ドアーの拡大斜視図である。
【図５】本発明の一実施形態におけるブラインド式ドアーを開けた状態の内側正面図である。
【図６】本発明の一実施形態におけるブラインド式ドアーの拡大斜視図である。
【図７】本発明の一実施形態におけるレージトング及びガイドローラの部分を拡大した分解斜視図である。
【図８】カマチの構成図
【符号の説明】
【００１４】  １  建物
２  開口部
３  サッシ
４  窓戸
６  外壁
１９  ブラインド式戸
２０  本体用案内枠
２１  上枠
２２  下枠
２３  縦枠
３８  スラット
３９  ガイドレール
４０  ガイド穴
４１  レージトング
４４  係止縁
４７ａ、４７ｂ  リンク
５０  回転軸
５１  ローラ部
５２  ベアリング
４１  レージトルグ
４２  ガイドローラー
４３  ガイドピン
４７ａ，４８ｂ  リンク
５０  回転軸
５１  ローラ部
５５  框（カマチ）
【図１】
0003219158.tif 000003
【図２】
0003219158.tif 000004
【図３】
0003219158.tif 000005
【図４】
0003219158.tif 000006
【図５】
0003219158.tif 000007
【図６】
0003219158.tif 000008
【図７】
0003219158.tif 000009
【図８】
0003219158.tif 000010
【手続補正書】
【提出日】平成30年9月18日(2018.9.18)
【手続補正１】
【補正対象書類名】実用新案登録請求の範囲
【補正対象項目名】全文
【補正方法】変更
【補正の内容】
【実用新案登録請求の範囲】
【請求項１】
ブラインド式雨戸であって，短冊状に形成された複数のスラット（３８）と、この各スラット（３８）の上端部及び下端部を連結する伸縮自在のレージトング（４１）とを備え、前記レージトング（４１）は、形状の異なるニ種類のリンク（４７ａ）、（４７ｂ）を中央部で軸着してＸ字状に回転自在に組み合わせた複数組をヒンジ結合してエキスパンダー式に伸縮自在に構成されており、前記リンクの端部には、框（５５）が設けられており、前記框（５５）はパーツＡとパーツＢとパーツＣで構成され、前記パーツＢは、前記パーツＡと前記パーツＣと真中に配置されるものであり、前記パーツＢを樹脂製とする、又は前記パーツＡと前記パーツＢと前記パーツＣを樹脂製とすることを特徴とするブラインド式雨戸。
【請求項２】
請求項１に記載のブラインド式雨戸であって、前記パーツＢに樹脂製のクッション材を貼りつけたことを特徴とするブラインド式雨戸。